(57)【要約】【課題】面状発光装置全体の薄型構造を阻害しないようにして、発光タイルを装置筐体内に安定配置可能とする。【解決手段】平面視外形が矩形形状でかつ発光面が面状である発光タイル７と、底面９ａを有し、かつ、少なくとも、この底面９ａの外周縁からほぼ垂直に立ち上がり発光タイル７に係止し得る形状を備えた係止爪９ｄを備えたベゼル９と、を備え、ベゼル９の底面９ａに発光タイル７を載置し、係止爪９ｄを発光タイル７に係止させて該発光タイル７をベゼル９上に固定した構造。【選択図】図１
2010033820.tif 000002
【特許請求の範囲】
【請求項１】
平面視外形が矩形形状でかつ発光面が面状である発光タイルと、
平面視外形が上記発光タイルと略同形の底面と、この底面の少なくとも２辺外周縁から立ち上がる側面とを有すると共に、一部に上記底面上の発光タイルに係止するための係止部を設けた発光タイル固定用のベゼルと、
を備え、
上記ベゼルの底面上に上記発光タイルを載置し、上記係止部を発光タイルに係止させて該発光タイルを上記ベゼル上に固定した、発光タイル固定構造。
【請求項２】
平面視外形が矩形形状でかつ発光面が面状である発光タイルと、
上記各発光タイルをそれぞれの発光面を同じ向きにして行列配置し得る形状の筐体と、
上記発光タイルを固定する複数の発光タイル固定用のベゼルと、
を備え、
上記ベゼルは、平面視外形が発光タイルと略同形で上記発光タイルを載置する底面と、この底面の少なくとも２辺外周縁から立ち上がる側面と、を有すると共に、一部に上記底面上の発光タイルに係止し得る係止部を、また、一部に上記筐体に係止し得るもう１つの係止部を備える、面状発光装置。
【請求項３】
上記ベゼルの底面は、発光タイルから入射した発光光を拡散できる機能を有する、請求項２に記載の面状発光装置。
【請求項４】
上記発光タイルは、内部の発光面側寄りに高圧部分を有しており、上記ベゼルはその底面に発光タイルの発光面側を載置することで、上記高圧部分を外部から被覆可能としている、請求項２または３に記載の面状発光装置。
【請求項５】
筐体内に行列配置される平面視矩形形状の発光タイルを載置し得るよう平面視外形が矩形形状の底面を有し、かつ、少なくとも、上記底面の外周縁からほぼ垂直に立ち上がり上記底面上の発光タイルに係止し得る形状を備えた係止部と、上記底面に載置された発光タイルに上記係止部を係止させた状態で上記筐体に係止して発光タイルを当該筐体内の所定位置に位置決め固定するもう１つの係止部と、を具備した、発光タイル固定用ベゼル。
【発明の詳細な説明】
【技術分野】
【０００１】
本発明は、画像形成装置や液晶バックライト等として用いる面状発光装置に関わり、より詳しくは、複数の平面視矩形形状の発光タイルを行列方向に隣接配列した面状発光装置に関するものであり、特には、複数の発光タイルを筐体内に配列するに際して位置決め精度を向上するよう発光タイルを固定する構造に関するものである。
【背景技術】
【０００２】
画像形成装置としての面状発光装置には、矩形枠状の筐体内に、発光面が面状である複数の発光タイルを行列配置すると共に、これら発光タイルの発光、非発光を制御するようにしたものがある（特許文献１参照）。このような面状発光装置に用いる発光タイルは、内部に発光源を有し平面視外形が矩形で発光面が上記のように面状であり、これらを筐体内に複数配置するに際しては当該筐体内での位置決めが容易でかつ安定配置できることが好ましい。一方、面状発光装置の大型化、薄型化の進展により、発光タイルも大型化、薄型化すると共にその配置個数も増大してくることにより、ますます、上記安定配置の必要性が高くなる。なお、発光タイルは、内部に発光源を有するが、この発光源方式としては各種あり、例えば、有機ＥＬ、無機ＥＬ、プラズマ、ＬＥＤ、フィールドエミッション（ＦＥＤ）、等がある。
【特許文献１】特開２００７−２８０６３５号公報
【発明の開示】
【発明が解決しようとする課題】
【０００３】
したがって、本発明により解決すべき課題は、面状発光装置において、発光タイルを筐体内に安定配置できるようにすることにある。
【０００４】
本発明において他の課題は、発光タイルを筐体内に安定配置できる構造とするに際して、部品点数が増大しない構造として製造コストの低減に貢献できるようにすることである。
【０００５】
本発明においてさらに他の課題は、内部に高圧部分が有るような発光タイルの場合、発光タイルを筐体内に安定配置できる構造とするに際して、部品点数が増大しない構造に加えて、その安全性を高くすることである。
【課題を解決するための手段】
【０００６】
本発明第１による発光タイル固定構造は、平面視外形が矩形形状でかつ発光面が面状である発光タイルと、平面視外形が上記発光タイルと略同形の底面と、この底面の少なくとも２辺外周縁から立ち上がる側面とを有すると共に、一部に上記底面上の発光タイルに係止するための係止部を設けた発光タイル固定用のベゼルと、を備え、上記ベゼルの底面上に上記発光タイルを載置し、上記係止部を発光タイルに係止させて該発光タイルを発光タイル固定用ベゼル上に固定したことを特徴とするものである。
【０００７】
上記発光タイルの発光面の面状とは、平坦面に限定されるものではなく外方へ突出した湾曲面、内方へ凹んだ湾曲面等を含むことができる。
【０００８】
上記係止部は爪形状や板形状に限定されるものではなく、係止できる形状であればよい。また、係止部はベゼルに一体に形成するものに限定されず、ベゼルとは別体のもので構成することができる。さらに、上記別体の場合、係止部は硬質材料、軟質材料を問わない。
【０００９】
本発明第１では、発光タイルは底面に載置した状態で係止部によりベゼルに固定することができることで、発光タイルをベゼルと一体化して取り扱うことができるようになり、その結果、発光タイルを筐体内の所定位置に収納する場合、ベゼルで上記所定位置での配置上の位置決めをすることができるので、筐体内への発光タイルの収納が容易となることに加えて、当該筐体内での所定位置での発光タイルの安定配置に貢献することができるようになる。
【００１０】
本発明第２による面状発光装置は、平面視外形が矩形形状でかつ発光面が面状である発光タイルと、上記各発光タイルをそれぞれの発光面を同じ向きにして行列配置し得る形状の筐体と、上記発光タイルを固定する複数の発光タイル固定用のベゼルと、を備え、上記ベゼルは、平面視外形が矩形形状で発光タイルを載置する底面と、この底面の少なくとも２辺外周縁から立ち上がる側面と、を有すると共に、一部に上記底面上の発光タイルに係止し得る係止部を、また、一部に上記筐体に係止し得るもう１つの係止部を備えることを特徴とするものである。
【００１１】
本発明第２の面状発光装置は、それ自体で各発光タイルの発光を制御して全体で画像を形成する画像形成装置や、液晶表示パネルの背面側に配置して当該液晶表示パネルを照明するバックライト等に適用することができるものである。
【００１２】
本発明第２では、発光タイルはベゼルにその係止部で固定することができることで、発光タイルをベゼルと一体化して取り扱うことができるようになると共に、発光タイルを筐体内の所定位置に収納する場合、ベゼルのもう１つの係止部を筐体に係止することで、筐体内における発光タイルの所定位置での位置決め配置を高精度に行うことができ、筐体内での発光タイルの安定配置に貢献することができるようになる。
【００１３】
本発明第２において、好ましい態様は、上記ベゼルの底面が、発光タイルから入射した発光光を拡散できる機能を有することである。
【００１４】
この態様では、発光タイルの発光面に内部発光源からの発光光を拡散する拡散板等を設ける必要がなくなり、その分、部品点数を削減することができるようになる。
【００１５】
本発明第２において、別の好ましい態様は、上記発光タイルは、内部の発光面側寄りに高圧部分を有しており、上記ベゼルはその底面に発光タイルの発光面側を載置し、上記高圧部分を外部から被覆していることである。
【００１６】
上記別の態様では、発光タイル内部に高圧部分が存在する場合でも、発光タイルの高圧部分がベゼルで被覆されているので、筐体内で発光タイルの安定配置できることに加えて、内部高圧部分を外部から遮蔽でき、その安全性を高めることができるようになる。
【００１７】
本発明第３による発光タイル固定用ベゼルは、筐体内に行列配置される平面視矩形形状の発光タイルを載置し得るよう平面視外形が矩形形状の底面を有し、かつ、少なくとも、上記底面の外周縁からほぼ垂直に立ち上がり上記底面上の発光タイルに係止し得る形状を備えた係止部と、上記底面に載置された発光タイルに上記係止部を係止させた状態で上記筐体に係止して発光タイルを当該筐体内の所定位置に位置決め固定するもう１つの係止部と、を備えたことを特徴とするものである。
【発明の効果】
【００１８】
本発明においては、面状発光装置全体の薄型構造を阻害しないようにして、発光タイルを装置筐体内に安定配置することができる。
【発明を実施するための最良の形態】
【００１９】
以下、添付した図面を参照して、本発明の実施の形態に係る発光タイル固定構造、面状発光装置および発光タイル固定用ベゼルを説明する。図１は同面状発光装置の外観構成を分解状態にて示し、図２は、同面状発光装置を図１のＰ方向から見てかつ一部切欠いて示し、図３は同面状発光装置を図１のＱ方向から見てかつ一部切欠いて示し、図４は図３のＡ−Ａ線断面構成を示し、図５にベゼルの外観を示す。
【００２０】
まず、これらの図を参照して、実施の形態の面状発光装置１は、平面視矩形形状の収納凹部３を有する装置筐体５と、この装置筐体５に行列配置される複数の発光タイル７と、発光タイル７を固定する発光タイル固定用ベゼル９と、装置筐体５の収納凹部３において発光タイル７の列方向間に固定配置される複数の電極保持プレート１１と、を備える。
【００２１】
ベゼル９は透明もしくは半透明の材料からなり、好ましくは、光拡散性を有する材料からなることで、発光タイル７からの発光光を出射することができるようになっている。発光タイル７とベゼル９は一体化された発光タイル組品１０を構成する。電極保持プレート１１は、長手方向（行方向）に後程詳述する複数の絶縁遮蔽部１１ｂを備えている。これら絶縁遮蔽部１１ｂは、行方向の各発光タイル７に個別対応して設けられている。
【００２２】
発光タイル７は、相対向するフロント側とリア側一対のガラス製両パネル１３，１５と、該両パネル１３，１５間に介装された４枚の樹脂製サイドパネル１７とで立方薄型形状に組み立てられ、その内部を真空封止されていると共に、フロントパネル１３内面に発光層１９と、高電位内部電極２１と、を層設し、リアパネル１５内面にカソード電極を構成する低電位内部電極２３と、上記発光層１９と相対向状態で電気的な作用で発光層に対する発光を誘起する機能を有した発光誘起膜２５から構成される。
【００２３】
列方向隣り合う発光タイル７はそれぞれのフロントパネル１３が対向方向に突出し、その突出部が列方向一方側端部１３ａを構成している。発光タイル７はフロントパネル１３側表面が発光面となる。
【００２４】
発光タイル７の高電位内部電極２１は電極引出端子２７により外部に引き出されている。電極引出端子２７は、自己のサイドパネル１７とフロントパネル１３との隙間からフロントパネル１３の一方側端部１３ａ上に延在している。そして、この電極引き出し端子２７には導電ゴム製の内部コネクタ端子２９が接続されている。
【００２５】
ベゼル９は、平面視形状が発光タイル７と略同形、略同寸法でかつ発光タイル７を載置し得る底面９ａと、底面９ａの列方向２辺外周縁上に立ち上がる側面９ｂ，９ｃとを有し、かつ、少なくとも、上記底面９ａの行方向２辺外周縁からほぼ垂直に立ち上がり延びて発光タイル７に係止し得る形状を備えた係止爪９ｄと、底面９ａに載置され上記係止爪９ｄを発光タイル７に係止させた状態で筐体５に係止して発光タイル７を筐体５内の所定位置に位置決め固定するもう１つの係止爪９ｅと、を備える。
【００２６】
係止爪９ｄの長さは、発光タイル７の非発光面上に長く延び、その先端形状が発光タイル７の非発光面に係止可能な爪形状を有している。
【００２７】
係止爪９ｅは、係止爪９ｄよりもさらに長く装置筐体５の筐体面上に延び、その先端形状が装置筐体５に係止可能な爪形状を有している。
【００２８】
上記ベゼル９の側面９ｂ，９ｃは、底面９ａの列方向２辺外周縁全体に亙る必要はなく、部分的に底面９ａの外周縁から１箇所ないし複数箇所で立ち上がる形状でよい。ベゼル９は、その底面９ａ上に発光タイル７の発光面側を載置すると共に、その係止爪９ｄで発光タイル７の背面に係止することで、発光タイル７をベゼル９に固定することができるようになっている。また、ベゼル９の一方の側面９ｂは、複数立ち上がる箇所のうち、一部を隣接する発光タイル７の対向隙間に入り込み得る板状の絶縁沿面距離確保用の絶縁遮蔽部９ｆとすることができる。
【００２９】
ベゼル９はまた、その底面が、発光タイル７から入射した発光光を拡散できる機能を有している。このようなベゼル９の材料としては透明ＡＢＳやポリカーボネートがある。好ましくは、発光体に対して耐熱性を有した材料が好ましい。このようなベゼル９は、発光光の拡散機能を有することで、発光タイル７の発光面上に内部発光源からの発光光を拡散する拡散板等を設ける必要がなくなり、その分、部品点数を削減することができるようになる。
【００３０】
電極保持プレート１１は、絶縁樹脂からなり、当該電極保持プレート１１を列方向隣接する発光タイル７の背面間にまたがる状態で装着するためのプレート本体１１ａと、隣接する発光タイル７の対向隙間に他方側から入り込むと共に内部コネクタ端子２９と列方向相対向する位置からさらに一方側へと入り込み得る板状の絶縁遮蔽部１１ｂと、を備える。プレート本体１１ａにはベゼル９の絶縁遮蔽部９ｆが挿通することができる平面視矩形状穴１１ｃが形成されている。
【００３１】
電極保持プレート１１の絶縁遮蔽部１１ｂの側面には、発光タイル７のアノード電極とメタルバックとを兼用する高電位内部電極を外部に引き出す外部コネクタ端子１１ｄが樹脂モールドにより埋設されている。電極保持プレート１１は、さらにカソード電極である低電位内部電極を外部に引き出す外部コネクタ端子を備えるが、実施の形態ではそのコネクタ端子の図示を略している。
【００３２】
電極保持プレート１１内部には外部コネクタ端子１１ｄに接続されていて図示略の電源からの高電位を外部コネクタ端子１１ｄに印加するための電位印加電極１１ｅが内蔵されている。なお、電位印加電極１１ｅは一部のみ示し、その高電位の印加経路の図示は図解の都合で略している。この電極保持プレート１１において外部に電極が露出している箇所は外部コネクタ端子１１ｄのみである。
【００３３】
なお、ベゼル９の絶縁遮蔽部９ｆは、電極保持プレート１１の矩形状穴１１ｃに挿通され、先端は装置筐体５の下面に固定した取り付け台座５ａの固定穴５ｂに嵌入されて固定される。
【００３４】
以上の構成を備えた面状発光装置１においては、電極保持プレート１１は、装置筐体５に図示略の固定手段で列方向等間隔に配置固定する一方、各ベゼル９それぞれに発光タイル７を収納する。そして、ベゼル９に収納した発光タイル７を上記列方向に並ぶ各電極保持プレート１１間に配置する。この配置状態で、電極保持プレート１１の遮蔽板１１ｂは、発光タイル７の列方向対向隙間に一方側から他方側へと入り込むと共に、ベゼル９の絶縁遮蔽部９ｆも、発光タイル７の列方向対向隙間に他方側から一方側へと入り込む。そして、発光タイル７側の内部コネクタ端子２９を電極保持プレート１１の外部コネクタ端子１１ｄにコネクタ接続することで、発光タイル７の高電位内部電極２１に高電位が印加される。この場合、両コネクタ端子２９，１１ｄのコネクタ接続部と、隣接するベゼル９の対向隙間との間には、列方向重なり合う電極保持プレート１１とベゼル９それぞれの絶縁遮蔽部１１ｂ，９ｆが介在した状態となっている。
【００３５】
その結果、面状発光装置１は薄型で上記コネクタ接続部から隣接するベゼル９の対向隙間までの空間距離は短いものの、その絶縁沿面距離は、電極保持プレート１１とベゼル９それぞれの絶縁遮蔽部１１ｂ，９ｆにより図４で示す矢印経路となることにより、内部コネクタ端子２９から隣接するベゼル隣接隙間までの絶縁沿面距離は、列方向で重なる上記絶縁沿面距離確保用の遮蔽板とベゼル部との少なくとも対向高さとベゼル部外側側面高さとを合計した絶縁沿面距離を確保することができるようになる。
【００３６】
そして、本実施の形態では、発光タイル７は、ベゼル９の係止爪９ｄに係止されて一体組品化されて筐体５内に収納され、また筐体５は、ベゼルへ９の係止爪９ｅに係止されることで、当該発光タイル７は、筐体５内の所定位置に位置決め固定される。その結果、発光タイル７を筐体５内の所定位置に収納する場合、筐体５内への発光タイル７の収納が容易となることに加えて、筐体５内での発光タイル７の位置決めを安定させることができるようになる。
【００３７】
上述の実施の形態では、面状発光装置１は、画像形成装置を構成することができると共に、例えば、図６で示すように、液晶バックライト３０として液晶表示パネル３１の背面側に配置して当該液晶表示パネル３１を照明するバックライトとしても用いることができる。この表示パネルは液晶表示パネル以外には、例えばプラズマディスプレイ（ＰＤＰ）、発光ダイオードディスプレイ、有機または無機ＥＬディスプレイ、フィールドエミッションディスプレイ（ＦＥＤ）、エレクトロルミネセンスディスプレイ、蛍光表示管ディスプレイ、等の各種表示パネルがあり、これらにも適用することができる。
【００３８】
以上説明したように本実施の形態では、発光タイル７を筐体５内に安定して配置することができるようになる。
【図面の簡単な説明】
【００３９】
【図１】図１は本発明の実施の形態に係る面状発光装置の外観構成を分解状態にて一部を切欠いて示す図である。
【図２】図２は、同面状発光装置の非発光側である装着筐体からの平面構成を図１のＰ方向から見てかつ一部切欠いて示す図である。
【図３】図３は同面状発光装置の発光側であるベゼル側からの構成を図１のＱ方向から見てかつ一部切欠いて示す図である。
【図４】図４は図３のＡ−Ａ線断面構成を示す図である。
【図５】図５はベゼルの外観を示す図である。
【図６】図６は実施の形態の面状発光装置を液晶バックライトとして液晶表示パネルに組み込んだ状態を液晶バックライトの一部を切欠いて示す図である。
【符号の説明】
【００４０】
１  面状発光装置
３  収納凹部
５  装置筐体
７  発光タイル
９  ベゼル
９ａ  底面
９ｂ，９ｃ  側面
９ｄ，９ｅ  係止爪
９ｆ  絶縁遮蔽部
１１  電極保持プレート
１１ａ  プレート本体
１１ｂ  絶縁遮蔽部
１１ｄ  外部コネクタ端子
２９  内部コネクタ端子
【図１】
2010033820.tif 000003
【図２】
2010033820.tif 000004
【図３】
2010033820.tif 000005
【図４】
2010033820.tif 000006
【図５】
2010033820.tif 000007
【図６】
2010033820.tif 000008